(57)【要約】【課題】  保温・保冷を必要とする食品と、保温・保冷を必要としない食品との混合収納が容易になされ、且つ個別容器の選択組み合わせによって使用者の必要とする容量の容器の組み合わせ使用が可能となる食品携帯具（弁当箱）を提供する。【解決手段】同一外径で高さの相違する複数の個別容器と、前記個別容器を収納できる袋状ケース５とで構成され、個別容器が少なくとも断熱構造の第一保温容器１と、前記第一保温容器の概ね２／３の高さの第二保温容器２と、第二保温容器と略同一高さの非保温構造の第一密閉容器３と、第一保温容器の概ね１／３の高さの非保温構造の第二密閉容器４とを備え、前記個別容器から２個以上を組み合わせて構成する。【選択図】図６
0003111974.tif 000002
【実用新案登録請求の範囲】
【請求項１】
同一外径で高さの相違する複数の個別容器と、前記個別容器を収納できる袋状ケースとで構成され、個別容器が少なくとも断熱構造の第一保温容器と、前記第一保温容器の概ね２／３の高さの第二保温容器と、第二保温容器と略同一高さの非保温構造の第一密閉容器と、第一保温容器の概ね１／３の高さの非保温構造の第二密閉容器とを備え、前記個別容器を２個以上の選択組み合わせで構成したことを特徴とする食品形態具。
【請求項２】
保温容器が、金属製真空二重容器で断熱構造を実現した容器部と、前記容器部に密閉装着される断熱蓋体とで構成してなる請求項１記載の食品携帯具。
【請求項３】
第一保温容器の容量が６００〜４００ｍｌで、第二保温容器が４００〜２００ｍｌとしてなる請求項１又は２記載の食品携帯具。
【請求項４】
第一保温容器、第二保温容器、第一密閉容器、第二密閉容器を各1個と、個別容器を縦に積層した状態で収納できる大きさとした袋状ケースで構成した請求項１乃至３記載の何れかの食品携帯具。
【請求項５】
第一保温容器、第二保温容器、第一密閉容器、第二密閉容器を各1個と、個別容器を横に２個並べた状態で収納できる大きさとした袋状ケースで構成した請求項１乃至３記載の何れかの食品携帯具。
【考案の詳細な説明】
【技術分野】
【０００１】
本考案は、弁当箱のように食品の携帯に使用する食品携帯具に関するものである。
【背景技術】
【０００２】
現在種々の弁当箱が知られていが、保温性を確保する手段としては、保温構造の断熱ケース内に大小の非断熱構造の容器を収納している。例えば特開平９−６５９１８号公報（特許文献１）には、非断熱蓋体を備えた真空二重構造の断熱本体ケース内に、非断熱構造の密閉容器を多段に収納する構成が開示されている。
【０００３】
また個別容器として保温構造の断熱容器を採用し、この断熱容器と非断熱構造の密閉容器を組み合わせて所定の非断熱構造の本体ケースに収納しているものも知られている。具体的には、特開２００２−３６０３２６号公報（特許文献２）には、本体ケース内に容器を縦に積層して収納する弁当箱が開示されている。また特開２００２−３６０３２７号公報（特許文献３）には、本体ケース内に容器を横並べて収納する弁当箱が開示されている。
【０００４】
【特許文献１】特開平９−６５９１８号公報。
【特許文献２】特開２００２−３６０３２６号公報。
【特許文献３】特開２００２−３６０３２７号公報。
【考案の開示】
【考案が解決しようとする課題】
【０００５】
ところで、前記の各弁当箱の個別容器は、基本的に味噌汁用容器（ネジ式密閉）、御飯用容器、おかず用容器などに明確に使用目的が定まっており、しかもその個別容器の容量も特定されているものであるから、例えば家族間で大人用や子供用などに使い回しをしようとしても困難である。
【０００６】
また本体ケースが特定の固定容器であるために、当該固定容器に収納される個別容器が特定され、使用されない個別容器も空のまま収納する必要がある。
【０００７】
更に保温本体ケースに複数の非断熱構造の個別容器を収納する弁当箱においては、保温を必要とる食品と、保冷を必要とする食品とを混合して収納するには不適当である。
【０００８】
そこで本考案は、個別容器の選択組み合わせが容易に行うことができ、且つ携帯性を備えた新規な食品携帯具を提案したものである。
【課題を解決するための手段】
【０００９】
本考案に係る食品携帯具は、同一外径で高さの相違する複数の個別容器と、前記個別容器を収納できる袋状ケースとで構成され、個別容器が少なくとも断熱構造の第一保温容器と、前記第一保温容器の概ね２／３の高さの第二保温容器と、第二保温容器と略同一高さの非保温構造の第一密閉容器と、第一保温容器の概ね１／３の高さの非保温構造の第二密閉容器とを備え、前記個別容器を２個以上の選択組み合わせで構成したことを特徴とするものである。
【００１０】
而して第一、第二の保温容器には、保温・保冷を必要とする食品を収納し、第一、第二の密閉容器には、他の食品を収納し、袋状ケースに収納して弁当として携帯することができるものである。特に容量が異なる保温容器及び密閉容器を組み合わせることで、個人毎の携帯する食品に対応でき、且つ高さが定まっているので、当該組み合わせに際して、袋状ケースにきっちりと収まるものである。
【考案の効果】
【００１１】
本考案の構成は上述のとおりで、保温・保冷の必要性の有無並びに携帯量などを考慮して、使用者の必要に応じて選択組み合わせが可能であり、家族での使い回しが可能であると共に、袋状ケースの採用によって容器の使用数が少なくなっても、ケースの上方部分を折り畳むことで携帯に便利な形態とすることができたものである。
【考案を実施するための最良の形態】
【００１２】
次に本考案の実施の形態について説明する。実施形態に示した食品携帯具は、個別容器として、第一保温容器１と、第二保温容器２と、第一密閉容器３と、第二密閉容器４を各１個と、袋状の収納ケース５を１セットとしたものである。
【００１３】
第一保温容器１と第二保温容器２は、その構造及び外径が一致し、高さのみ相違するものである。即ち第一保温容器及び第二保温容器２は、容器部１１，２１と、断熱蓋体１２，２２で構成され、容器部１１（第二保温容器に関しては以下省略する）は、金属製真空二重容器で断熱構造を実現した外容器１３に、上部外周にネジ部１４を設けた樹脂製の内容器１５を前記外容器１３内に嵌合装着して形成したものである。そして前記の第一保温容器１は６００〜４００ｍｌの容量とし、第二保温容器２は、前記第一保温容器の概ね２／３の高さとなるようにしたもので、その容量も第一保温容器１の容量に対応して４００〜２００ｍｌとしたものである。
【００１４】
断熱蓋体１２，２２は、前記ネジ部１４に螺合するネジ部１６を備えると共に、内容器１５の上部開口部に嵌合して密閉する部分に断熱材１７を内装してなり、更に内容器１５の上部開口端縁と当接する箇所にパッキンを設けて密閉を実現するものである。
【００１５】
第一密閉容器３と第二密閉容器４は、その構造及び外径が一致し、高さ及び前記高さの相違に対応する容量のみが相違するものである。即ち第一密閉容器３及び第二密閉容器４は、容器部３１，４１と、蓋体３２，４２で構成され、容器部３１，４１は一般的な樹脂製容器であり、蓋体３２，４２は、柔軟質の樹脂で形成されたもので、容器部３１，４１の上部開口縁を嵌合して装着される縁部を備えた周知の構造のものである。
【００１６】
また第一保温容器１と、第二保温容器２とは同一外径として、断熱蓋体１２，２２は共用するようにし、第一密閉容器３及び第二密閉容器４の外径は、保温容器１又は２に積層した際に大きくはみ出さないように概ね一致させてなり、また各個別容器の高さは、第二保温容器２と第一密閉容器３は、第一保温容器１の高さの概ね（厳密な寸法を採用しなければならないという趣旨ではないことを意味する）２／３の高さとし、第二密閉容器４は、１／３の高さとしたものである。
【００１７】
収納ケース５は、袋状体であり、その筒状部の外回りを、個別容器を２個並列して収納される大きさとし、上部に開口部を巻いて折り畳んだ状態を保持するための適宜な止着バンド５１を付設したものである。
【００１８】
而して前記の個別容器は、使用者の必要に応じて種々組み合わせることができるものである。例えば図５に示すように第二保温容器２と第一密閉容器３を組み合わせた場合（同図イ）、第一保温容器１と第二保温容器２と第二密閉容器４を組み合わせた場合（同図ロ）、個別容器１，２，３，４の全てを組み合わせた場合（同図ハ）等、図示の通り並列状態や積層並列状態における容器の最上部の高さが一致することになる。
【００１９】
従って図６に例示したように、前記並列積層状態で収納ケース５に上方部分が凹凸状態となることなく、しっかりと開口部を巻いての折り畳みがなされ、携帯されることになる。
【００２０】
また袋状ケース５ａを、図８に示すような筒状部の外回りを、個別容器を立て一列に積層して収納される大きさとし、上部に開口部を巻いて折り畳んだ状態を保持するための適宜な止着バンド５１を付設したものを採用すると、図７（イ）（ロ）（ハ）に示すように選択し、組み合わせた個別容器１，２，３，４を、適宜積層した状態で収納できるものである。
【図面の簡単な説明】
【００２１】
【図１】本考案の実施形態の個別容器の斜視図。
【図２】同保温容器の分解断面図。
【図３】同保温容器の断面図。
【図４】同密閉容器の断面図。
【図５】同組み合わせ例（２個並列）の説明図。
【図６】同収納ケース（２個並列）への収納状態の説明図。
【図７】同組み合わせ例（１列積層）の説明図。
【図８】同収納ケース（１列積層）への収納状態の説明図。
【符号の説明】
【００２２】
１                第一保温容器
２                第二保温容器
１１，２１        容器部
１２，２２        断熱蓋体
１３              外容器
１４              ネジ部
１５              内容器
１６              ネジ部
１７              断熱材
３                第一密閉容器
４                第二密閉容器
３１，４１        容器部
３２，４２        蓋体
５，５ａ          収納ケース
５１              止着バンド
【図１】
0003111974.tif 000003
【図２】
0003111974.tif 000004
【図３】
0003111974.tif 000005
【図４】
0003111974.tif 000006
【図５】
0003111974.tif 000007
【図６】
0003111974.tif 000008
【図７】
0003111974.tif 000009
【図８】
0003111974.tif 000010